【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
陽極及び蛍光体を内面に有する前面基板と、
電子源を表示領域内で内面に有して、前記前面基板と所定の間隔をもって対向する背面基板と、
前記前面基板と前記背面基板の間で前記表示領域を周回して介挿され、前記所定の間隙を保持する外枠と、
前記前面基板と背面基板の間で前記表示領域内に植立挟持されて、当該前面基板と背面基板を所定の間隔に保持する間隔保持部材とを具備し、
前記前面基板と背面基板の少なくとも一方と前記間隔保持部材との間に焼成工程で消失する高弾性材に接着剤を混合した緩衝固着材を設けたことを特徴とする表示装置。
【請求項２】
前記高弾性材は低温分解性発泡樹脂であることを特徴とする請求項１に記載の表示装置。
【請求項３】
前記低温分解性発泡樹脂はウレタンであることを特徴とする請求項２に記載の表示装置。
【請求項４】
前記接着剤は低融点ガラスであることを特徴とする請求項１乃至３の何れかに記載の表示装置。
【請求項５】
陽極及び蛍光体を内面に有する前面基板と、
電子源を表示領域内で内面に有して、前記前面基板と所定の間隔をもって対向する背面基板と、
前記前面基板と背面基板の間で前記表示領域を周回して介挿され、前記所定の間隙を保持する外枠と、
前記前面基板と背面基板の間で前記表示領域内に植立挟持されて、当該前面基板と背面基板を所定の間隔に保持する間隔保持部材とを具備し、
前記前面基板と背面基板の少なくとも一方と前記間隔保持部材との間に焼成工程後に存在する高弾性材に接着剤を混合した緩衝固着材を設けたことを特徴とする表示装置。
【請求項６】
前記高弾性材は耐熱繊維であることを特徴とする請求項５に記載の表示装置。
【請求項７】
前記耐熱繊維はアラミド系繊維であることを特徴とする請求項６に記載の表示装置。
【請求項８】
前記接着剤は低融点ガラスであることを特徴とする請求項５乃至７の何れかに記載の表示装置。
【手続補正２】
【補正対象書類名】明細書
【補正対象項目名】００１２
【補正方法】変更
【補正の内容】
【００１２】
外枠３で封止された前面基板２と背面基板１の内部は排気孔８から排気管４を通して真空引きされ、例えば１０-3１〜１０-5Ｐａの真空に排気される。板部材制御電極６の陰極配線５との各交差部には図示しない電子通過孔を有し、陰極配線５に有する電子源から放出される電子を前面基板側（陽極側）に通過させる。板部材制御電極６は、陰極配線５を形成した背面基板１上にあって、当該陰極配線５に対して表示領域の全域にわたって所定の間隔をもって設置する必要がある。
【手続補正３】
【補正対象書類名】明細書
【補正対象項目名】００３３
【補正方法】変更
【補正の内容】
【００３３】
間隙保持部材９は背面基板１側に緩衝固着材１０を塗布した状態で当該緩衝固着材１０を介して背面基板１と接合させるので、間隙保持部材９に接着剤のみを直接塗布するものとは異なり、その塗布量を均等化することができる。したがって、多数の間隙保持部材９は略等量かつ略全面で緩衝固着材１０を介して仮固定されて植立される。この状態で仮焼成してもよい。
【手続補正４】
【補正対象書類名】明細書
【補正対象項目名】００４０
【補正方法】変更
【補正の内容】
【００４０】
図６に示したように背面基板１を治具にセットし、背面基板１の上から全面加圧しつつ加熱する。この加圧・加熱処理で緩衝固着材１０に有するウレタン樹脂の緩衝作用で複数の間隙保持部材９には均等に圧力が印加され、同緩衝固着材１０に有するフリットガラスの溶融と固化で間隙保持部材９は背面基板１に固定される。同時にウレタン樹脂は消失する。フリットガラスは３５０°Ｃ付近から徐々に軟化を始めるので、ウレタン樹脂が分解して弾力性が消失するときには、粘稠なフリットガラスが間隙保持部材９と背面基板１との間でクッション材の役割を果たす。さらに、４５０°Ｃで３０分程度の加熱後、降温してフリットガラスを固化する。その後、治具から間隙保持部材９の一端を固定した背面基板１を取り外す。
【手続補正５】
【補正対象書類名】明細書
【補正対象項目名】００４３
【補正方法】変更
【補正の内容】
【００４３】
例えば、前面基板２に有する蛍光体１４の１トリオ画素（Ｒ,  Ｇ,  Ｂ）が約１ｍｍ程度の場合、各色の蛍光体（蛍光体素子）の間は０．１ｍｍ程度の間隙を持たせることができる。この間隙に５０μｍ程度の厚さの間隙保持部材９を設置するものとすると、間隙保持部材９が緩衝固着剤１０の塗布領域から完全に外れないように１０乃至１５μｍ程度の裕度をみて、緩衝固着剤１０の塗布幅を７０乃至８０μｍとするのが望ましい。また、緩衝固着剤１０の塗布の長さは、間隙保持部材９との合わせ裕度を両端で各５ｍｍとして、間隙保持部材９の長さに対し＋１０ｍｍ程度とするのが望ましい。
【手続補正６】
【補正対象書類名】明細書
【補正対象項目名】００５２
【補正方法】変更
【補正の内容】
【００５２】
また、図１４および図１５に示したように、板部材制御電極６の間隙保持部材９と接する部分は、当該板部材制御電極６に画素毎に有する電子通過孔６ｄ（１または複数個）の隣接間で、かつ板部材制御電極が背面基板１に直接または絶縁層を介して接する部分とすることで、板部材制御電極６を強固に押圧することができる。
【手続補正７】
【補正対象書類名】明細書
【補正対象項目名】００５３
【補正方法】変更
【補正の内容】
【００５３】
本実施例の表示装置に用いる板部材制御電極６は、陰極配線５と交差する部分に凹部６ａを形成したもので、背面基板１とは上記凹部６ａを構成する凸部６ｂで接している。また、この凸部６ｂに対応する反対側（前面基板側）に切込み６ｃを有し、この切り込み６ｃに間隙保持部材９の一端を設置する。この切り込み６ｃの内壁に上方に開くテーパを付与しておくことで、間隙保持部材９に上方から圧力がかかったときの、当該間隙保持部材９の一端の位置をテーパで矯正するようにすることが望ましい。また、本実施例における前面基板２に塗布する接着剤または緩衝固着材１０は、前記図１０のｘ方向でブラックマトリクス１５上に設ける。
【手続補正８】
【補正対象書類名】明細書
【補正対象項目名】００５４
【補正方法】変更
【補正の内容】
【００５４】
そして、前面基板を背面基板に貼り合わせ、両基板側から均一加圧して間隙保持部材９にかかる圧力を均等化する。間隙保持部材９はその後の焼成工程で溶融固化するフリットガラスで背面基板１に固定される。なお、この焼成工程でウレタン樹脂は消失する。このようにして背面基板１と前面基板２の間に圧力に対して均等な応力がかかるように間隙保持部材９を設置することができる。
【手続補正９】
【補正対象書類名】明細書
【補正対象項目名】００６１
【補正方法】変更
【補正の内容】
【００６１】
「実施例５」
陰極配線５の電子源から放出される電子がフォーカスされていないため、蛍光体を有する前面基板２側における緩衝固着層１０または接着層を完全な絶縁体で構成すると、電子が緩衝固着層１０または接着層に帯電して残像やコントラスト低下の問題をもたらす。このような帯電の発生を回避するためには、緩衝固着層１０または接着層に１０11乃至１０12Ω・ｃｍ程度の比抵抗を持たせればよい。本実施例では、緩衝固着層１０または接着層に微量のＡＴＯなどの導電性粒子を混入した。また導電性物質に抵抗値をコントロールするフイラーを混入してもよい。
【手続補正１０】
【補正対象書類名】明細書
【補正対象項目名】００６２
【補正方法】変更
【補正の内容】
【００６２】
このような抵抗値をコントロールする物質として、陰極線管等の表面処理に用いられているシリカコート液を用いることができる。シリカコートでは、高温に加熱することでゾル−ゲル反応により脱アルコール化し、ポリシロキサン結合を形成し、その中に前記の導電性粒子を取り込んで安定した導電性を得ることができる。これにより、高圧が印加される前面基板２の帯電対策が実現できる。さらに、上記の緩衝固着層１０または接着層に遮光性を有する物質を混入することでブラックマトリクスＢＭの塗布工程で緩衝固着層１０または接着層を形成できる。
【手続補正１１】
【補正対象書類名】明細書
【補正対象項目名】００６３
【補正方法】変更
【補正の内容】
【００６３】
このとき、ブラックマトリクスＢＭの材料として、４００°Ｃ乃至４５０°Ｃで軟化する材料を用い、遮光性を付与するために酸化クロム（Ｃｒ2Ｏ3）、酸化鉄（Ｆｅ2Ｏ3）等の酸化物を添加すればよい。これにより、緩衝固着層１０または接着層を設ける工程が削除でき、製造工程が削減され、コスト低下を図ることができる。
【手続補正１２】
【補正対象書類名】明細書
【補正対象項目名】図面の簡単な説明
【補正方法】変更
【補正の内容】
【図面の簡単な説明】
【図１】
電界放出型の表示装置の概略構成の模式的説明図である。
【図２】
図１に示した表示装置を構成する背面板の構成例の模式的説明図である。
【図３】
本発明による表示装置の第１実施例の説明図である。
【図４】
図３（ｂ）のＤ部分の拡大図である。
【図５】
間隙保持部材の組立て治具の模式的説明図である。
【図６】
図５のＤ−Ｄ’線に沿った断面図である。
【図７】
図５の組立て治具に有するスリットの形状例の模式的説明図である。
【図８】
図７のスリットに間隙保持部材を所期位置合わせする状態を示す模式図である。
【図９】
間隙保持部材を固定した背面基板の構成を説明する模式図である。
【図１０】
本発明の第１実施例における前面基板の構成例の模式的説明図である。
【図１１】
図１１は背面基板に前面基板を組み込んで一体化した表示装置の要部断面図である。
【図１２】
図１１の矢印Ｈ部分の拡大図である。
【図１３】
本発明による表示装置の第３実施例の説明図である。
【図１４】
図１３に示した背面基板と間隙保持部材の植立構造の詳細説明図である。
【図１５】
図１４の矢印Ｋで示した部分の拡大図である。
【符号の説明】
１  背面基板
２  前面基板
３  外枠
４  排気管
５  陰極配線
６  板部材制御電極
７  電極押さえ部材
８  排気孔
９  間隙保持部材
１０  緩衝固着層
１１  第１治具
１２  第２治具
１３  陽極
１４  蛍光体
１５  遮光層（ブラックマトリクス）。